(57)【要約】【課題】  タブレットを収納し、収納された個々のタブレットを使用する順に容易に取り出すことができ、更に、操作票等の用紙をも挟み込むことができるタブレットホルダーを提供すること。【解決手段】  略平板状の保持板１２に、タブレット１６を並べた状態で収納する収納通路１４と、綴じ込み用具１８とを設け、タブレットホルダー１０を構成する。収納通路１４は、端部にタブレット１６の挿入口２２を有し、タブレット１６を並べた状態で一列のみ収納可能な第一収納通路１４ａと、第一収納通路１４ａに連続して設けられ、第一収納通路１４ａにほぼ直交する方向に所定長さ伸長し、先端部にタブレット１６の取出口２０の設けられた第二収納通路１４ｂとを有するようにする。【選択図】  図１
2007004010.tif 000002
【特許請求の範囲】
【請求項１】
略平板状の保持板と、
前記保持板に脱着可能に設けられ、端部にタブレットを挿入する挿入口を有し、タブレットを並べた状態で一列のみ収納可能な第一収納通路と、該第一収納通路に連続して設けられ、前記第一収納通路にほぼ直交する方向に所定長さ伸長し、先端部にタブレットを取り出す取出口の設けられた第二収納通路と、を有する収納通路と、
前記保持板に設けられ、紙類を挟む、挟み込み用具とを有することを特徴とするタブレットホルダー。
【請求項２】
前記収納通路には、通路の全長に亘り、通路外方からのタブレットの操作を可能とする開放部が設けられたことを特徴とする請求項１に記載のタブレットホルダー。
【請求項３】
前記第一収納通路と前記第二収納通路が、前記保持板の縁部に沿って設けられたことを特徴とする請求項１又は請求項２に記載のタブレットホルダー。
【請求項４】
前記収納通路の、少なくとも前記開放部付近が、所定量変形可能な可撓性材料で形成されたことを特徴とする請求項２又は請求項３に記載のタブレットホルダー。
【請求項５】
前記収納通路が、前記保持体の表面と裏面にそれぞれ設けられたことを特徴とする請求項１〜４の何れかに記載のタブレットホルダー。
【発明の詳細な説明】
【技術分野】
【０００１】
本発明は、タブレットを収納するタブレットホルダーに関する。
【背景技術】
【０００２】
例えば、変電所に設置される種々の機器は、互いに密接に関連して作動している。このため、一つの機器を操作する際、他の関連する機器を操作する必要があり、そしてこれらの機器が操作される順序は厳密に決められている場合が多い。例えば、この操作される順序を誤ると、機器が作動せず停電のような事態に至る場合もある。このため、このような機器の操作においては、機器の操作票を作成し、この操作票に従って関連する機器を操作することが行われる。そして操作を行う機器に順次、掛札（以降この掛札をタブレットとする）を掛けて確認しつつ操作を行う場合がある。
【０００３】
このタブレットについては、操作を行う各機器に対応して互いに異なる表示や数字を施し、各機器用のタブレットとする場合がある。そして、操作する機器に対応するタブレットを掛けて行き、これにより複数の機器の操作順序に誤りの発生し得ない状態を形成するものである。このため、この各機器に対応して作成されたタブレットは、個々のタブレットが紛失しないように、また容易に使用できる状態に保管する必要がある。そして、このタブレットを保管する手段としては、例えば収納容器に収納することが挙げられる。
【０００４】
ここで、上述したタブレットを収納容器に収納する場合には、個々のタブレットを使用する順すなわち各機器に掛ける順に、容易に取り出せるように収納容器を構成することが必要となる。そして、操作する機器間に収納容器を持ち運ぶことになるので、収納容器は容易に持ち運びできる必要がある。また、機器操作時には、操作する順序等が記載された操作票等を携帯する場合が多い。従って、上記収納容器について、収納容器の持ち運びが操作票の携帯の支障にならず、更に機器の確認操作時における両者の取り扱いが容易に行える構成であることが望ましい。
【０００５】
特許文献１には、タブレット容器に関する技術が開示されている。そして、同文献には、タブレット状菓子類を収納する、携帯用の振出し口付きタブレット容器が示されている。このタブレット容器は、携帯中の振動などによりタブレット同志の衝撃音のない構造になっている。
【０００６】
【特許文献１】特開２０００−１６８８５８
【発明の開示】
【発明が解決しようとする課題】
【０００７】
しかし、特許文献１に開示されたタブレット容器では、収納されたタブレットの中からタブレットを使用する順に従って取り出すことができるように構成されてはいない。更に、収納容器と、操作票とを共に持ち運ぶ場合、収納容器からのタブレットの取り出し作業と、操作票による確認作業等が円滑に行えるようには構成されていない。
【０００８】
従って、この特許文献１に示された収納容器を複数の関連機器の順番を確認するためのタブレットの収納容器として用いることはできない。また、複数の関連機器の操作順を確認するためのタブレットについて、上述した種々の条件を全て有する収納容器も存在していない。
【０００９】
本発明は、タブレットを収納し、収納された個々のタブレットを使用する順に容易に取り出すことができ、更に、操作票等の用紙をも保持することができるタブレットホルダーを提供することにある。
【課題を解決するための手段】
【００１０】
請求項１に記載のタブレットホルダーは、略平板状の保持板と、保持板に脱着可能に設けられ、端部にタブレットを挿入する挿入口を有し、タブレットを並べた状態で一列のみ収納可能な第一収納通路と、該第一収納通路に連続して設けられ、第一収納通路にほぼ直交する方向に所定長さ伸長し、先端部にタブレットを取り出す取出口の設けられた第二収納通路と、を有する収納通路と、保持板に設けられ、紙類を挟む、挟み込み用具とを有することを特徴とする。
【００１１】
これにより、第一収納通路に設けられた挿入口からタブレットが挿入され、収納通路にタブレットが、一列のみ並んで収納可能とされるので、一旦第一収納通路内に収納されたタブレットは、通路内での収納順が入れ替わることがない。従って、正確な順番で通路内にタブレットを収納すれば、第二収納通路に設けられた取出口からの取り出しの際に順番がくるうことはない。従って、一定の順に操作する必要がある複数の電力機器の操作時に、この機器に対応するタブレットを掛けて行くときに、この掛けて行く順にタブレットが収納通路に収納されていれば、機器に対応しない誤ったタブレットが掛けられるとういミスが起きることがない。また、第一収納通路と第二収納通路とが互いに直交する構成となっているので、必ずしも第二収納通路に蓋を設けなくても収納されたタブレットが落ちることがない。
【００１２】
更に、保持板に挟み込み用具を設けることによって、タブレットを掛ける位置等が記載された操作票等を挟み込むことが可能になる。これにより、タブレットの取り出し作業と、操作票の確認作業の両方を円滑に行うことが可能となる。
【００１３】
そして、収納通路が保持体に着脱可能に設けられているので、機器操作時にタブレットを使用しない時は、収納通路を保持板から取り外すことができる。従って、保持体に挟み込み用具で上記操作票を挟み込んだだけの簡素な状態で使用することも可能となる。
【００１４】
請求項２に記載のタブレットホルダーは、請求項１に記載のタブレットホルダーであって、収納通路には、通路の全長に亘り、通路外方からのタブレットの操作を可能とする開放部が設けられたことを特徴とする。
【００１５】
これにより、収納通路に収納されたタブレットを、開放部から指等で触れて操作することが可能となる。従って、収納通路内に異物が入り込み、これに起因して収納通路内でタブレットの詰まりが発生しても、この操作によりタブレットを動かすことができる。従って、容易に上記詰まりを解消することができる。更に、開放部からタブレットの収納状況が常に目視確認でき、収納通路にタブレットが誤った順で収納される、いわゆる誤収納が外から確認できる。
【００１６】
請求項３に記載のタブレットホルダーは、請求項１又は請求項２に記載のタブレットホルダーであって、第一収納通路と第二収納通路が、保持板の縁部に沿って設けられたことを特徴とする。
【００１７】
これにより、収納通路が設けられた保持板の面と同一の面における、操作票等の保持スペースを充分に確保することができる。従って、収納通路と挟み込み用具による操作票等の保持スペースとを保持板の同一面に設けることができ、各作業を行うために保持板を反転等させる必要がなくなる。すなわち、タブレットを収納通路に収納する時に操作票により収納順を確認しながらタブレットを挿入できる他、操作票等を見ながらタブレットを取出口から取り出すことが可能となる。このように、操作票による確認作業とタブレットの取り出し作業の両方を円滑に行うことができる。
【００１８】
請求項４に記載のタブレットホルダーは、請求項２又は請求項３に記載のタブレットホルダーであって、収納通路の、少なくとも開放部付近が、所定量変形可能な可撓性材料で形成されたことを特徴とする。
【００１９】
これにより、収納通路の上記開放部をより広げる方向に変形させることができるので、収納通路に収納されたタブレットを広げた開放部の部分で外部に取り出し、あるいは外部のタブレットを収納通路内部に収納することができる。すなわち、上記挿入口や取出口からだけでなく、開放部からタブレットの出し入れが可能となる。従って、収納通路に収納されたタブレットの収納順の一部に誤りが有った場合、収納通路に収納された、収納順に誤りのあるタブレットだけを開放部から直接取り出し、正しく入れ直すことができる。
【００２０】
これにより、収納通路に収納されたタブレットの一部を変更する必要が生じた場合にも、収納されたタブレットの大半を一旦取り出すことなく、容易に順序変更を行うことができる。
【００２１】
請求項５に記載のタブレットホルダーは、請求項１〜４に記載のタブレットホルダーであって、収納通路が、保持体の表面と裏面にそれぞれ設けられたことを特徴とする。
【００２２】
これにより、上記収納通路について、保持板の表面に設けられた収納通路に収納されたタブレットを全て使用した後、裏面に設けられた収納通路を保持板の表面に付け替える構成とすることが可能となる。従って、タブレットホルダーに収納するタブレットの数を多くでき、操作する機器が多い場合にも適切に対応することが可能となる。
【発明の効果】
【００２３】
本発明に係るタブレットホルダーによれば、複数の電力機器に掛けるために、互いに異なる表示等が施されたタブレットを、脱落を防止しつつ、収納した順に従って正確に取り出すことができる。従って、タブレットに基づく機器の操作の順番の誤り等を確実に防止することができる。また、操作票等の用紙をも保持することができるので、操作票の携帯及び機器の操作確認時等における、操作票による確認と、タブレットの取り出しの両作業を円滑に行うことができる。
【発明を実施するための最良の形態】
【００２４】
本発明の実施の形態について図面に基づいて説明する。図１は、本発明にかかるタブレットホルダーとこのタブレットホルダーに収納されるタブレットを説明した斜視図である。同図に示したように、タブレットホルダー１０は、略平板状の保持板１２にタブレット１６を収納する収納通路１４と、挟み込み用具１８が同一の面に設けられた構成となっている。また、本実施の形態では保持板１２は略長方形形状である。
【００２５】
ここで、タブレット１６は、一定の順に従って操作する必要のある複数の電力機器に、その操作時に掛けるもので、各機器に対応する表示や数字が施されており、本実施の形態では略長方形の平板状の形状を有している。従って、タブレット１６に施された表示や数字はタブレット１６毎に異なるものとなる。そして、タブレット１６には図示しない掛孔が貫通して形成されており、この掛孔に機器に設けられた略棒状の受軸を通すことにより掛ける構成となっている。
【００２６】
同図に示したように収納通路１４は、内部にタブレット１６を並べた状態で収納するもので、第一収納通路１４ａと第二収納通路１４ｂとで構成されている。第一収納通路１４ａは、略直線上に伸長し、図上上端部に挿入口２２を有しており、内部にタブレット１６を一列のみ収納可能な構成となっている。従って、第一収納通路１４ａ内でタブレット１６の収納順が入れ替わることはない。具体的には、第一収納通路の内部の空間の幅と厚さは、タブレット１６のスムーズな移動を許容するという条件の下で、タブレット１６の幅と厚さより少しだけ大きい寸法に設定されている。
【００２７】
第二収納通路１４ｂは第一収納通路１４ａに連続して設けられ、第一収納通路１４ａにほぼ直交する方向に所定長さ伸長し、本実施の形態では、第二収納通路１４ｂは、内部にタブレット１６を１個収納する長さに設定されている。また、第二収納通路１４ｂにおいても、上記第一収納通路１４ａ同様、タブレット１６が一列のみ収納される構成となっている。そして、第二収納通路１４ｂの先端部にはタブレット１６の取り出しを行う、取出口２０が設けられている。
【００２８】
更に、本実施の形態では、第一収納通路１４ａと第二収納通路１４ｂが、保持板１２の縁部に沿って設けられる構成となっている。これにより、収納通路１４が設けられた保持板１２の面と同一の面における、操作票等の保持スペースを充分に確保することができる。従って、収納通路１４と挟み込み用具１８による操作票等の保持スペースとを保持板１２の同一面に設けることができ、各作業を行うために保持板１２を反転等させる必要がなくなる。すなわち、タブレット１６を収納通路１４に収納する時に操作票により収納順を確認しながらタブレット１６を挿入できる他、操作票等を見ながらタブレット１６を取出口２０から取り出すことが可能となる。このように、操作票による確認作業とタブレットの取り出し作業の両方を円滑に行うことができる。
【００２９】
また、収納通路１４には、収納通路１４の全長に亘って、収納通路１４が開放された開放部２４が設けられており、開放部２４を通して、収納通路１４の外方から指等を触れて、タブレット１６を操作することが可能となっている。従って、例えば収納通路内に異物が入り込み、これに起因して収納通路１４内でタブレット１６の詰まりが発生したような場合でも、この操作によりタブレット１６を動かすことができる。従って、容易に上記詰まりを解消することができる。更に、開放部２４から、タブレット１６の収納状況が常に目視で確認でき、収納通路１４にタブレット１６が誤った順で収納される、いわゆる誤収納が外から確認できる。
【００３０】
更に、収納通路１４は、保持体１２に着脱可能に設けられている。ここで、保持板１２に収納通路１４を脱着する手段としては、保持板１２と収納通路１４とが互いに接触する部位を磁化された材料で形成し、磁力によって収納通路１４を保持体１２に保持すること等が例示される。
【００３１】
図２は、本発明にかかるタブレットホルダーの第２の実施の形態を説明した斜視図である。なお、図１に示したタブレットホルダー１０と同一の要素には同一の符号を付し、その説明を省略する。同図に示したように、本実施の形態のタブレットホルダー３０では、収納通路３４、３６が、保持板１２の表面と裏面にそれぞれ設けられている。
【００３２】
また、収納通路３４の保持板１２への設置位置は図１に示した実施の形態と同様であるが、本実施の形態では第二収納通路３４ｂの、取出口４０が設けられた端部が保持板１２の縁部にまで達する長さを有している。そして、第一収納通路３４ａの前面には収納通路３４の保持板１２の取付け面の区別、すなわち、表面か裏面かの表示の記されたプレート３８が設けられている。更に、取出口４０には、蓋４６が取出口４０にはめ込むようにして設けられており、これによりタブレットが収納通路３４から脱落するのを防止している。なお、保持板１２の裏面に設けられた収納通路３６も収納通路３４と同様の構成となっている。
【００３３】
以上の構成により、保持板１２の表面に設けられた収納通路３４に収納されたタブレット１６を全て使用した後、裏面に設けられた収納通路３６を表面に付け替える構成とすることができる。従って、１つのタブレットホルダー３０に収納するタブレット１６の数を多くすることができ、操作する機器が多い場合にも適切に対応することが可能となる。
【００３４】
次に、図３は、本発明にかかるタブレットホルダーの第３の実施を示している。なお、図２に示したものと同一の要素には同一の符号を付し、その説明を省略する。この第３の実施の形態では、図１及び図２に示した実施の形態にかかるタブレットホルダー１０、３０の収納通路１４、３４、３６が所定量変形可能な、例えばゴムや合成樹脂等の可撓性材料で形成されている。
【００３５】
上記構成により、開放部４４、４８の開口幅を手で広げることが可能となっている。従って、タブレット１６の順番の入れ違いを手で直すことができる。例えば、同図に示したように番号８と番号９のタブレット１６が収納する順番を誤って、逆の順に収納されている（矢印２４０）場合、収納通路４２の開放部４４付近を手でより広げる方向に変形させることにより、番号８か番号９のタブレット１６を開放部４４の上記変形させた部位から取り出し、上記誤収納を修正することができる。
【００３６】
また、操作対象となる機器が一部変更された等の理由により、収納通路３４に収納されたタブレット１６の一部を変更する必要が生じる場合、例えば、番号６が付されたタブレット１６を、矢印２６０で示したように、番号６'が付されたタブレットに修正する必要が生じる場合（図３参照）、上記と同様、開放部４４から直接タブレットを入れ替えることができる。
【００３７】
本発明は、上述の実施の形態に限定されるものではなく、本発明の要旨の範囲内で種々の変更が可能である。例えば、図１に示した実施の形態では、収納通路１４には、開放部２４が設けられているとしたがこれに限られるものではない。例えば、開放部２４を設けず、第二収納通路において、取出口２０から所定長さ切り込んで形成した切り込みを形成し、この切り込みからタブレット１６を摘むようにして取り出す構成にしても良い。
【００３８】
更に、図２に示したタブレットホルダー３０の保持板１２の裏面にも挟み込み用具１８を設けることも可能である。これにより、収納通路３４と収納通路３６の保持板１２の取り付け面を入れ替えることなく、操作票と、使用するタブレット１６が収納された収納通路３４、３６とを常に同一の面に設ける構成とすることができる。
【図面の簡単な説明】
【００３９】
【図１】本発明にかかるタブレットホルダーとこのタブレットホルダーに収納されるタブレットを説明した斜視図である。
【図２】本発明にかかるタブレットホルダーの第２の実施の形態を説明した斜視図である。
【図３】本発明にかかるタブレットホルダーの第３の実施の形態を説明した図である。
【符号の説明】
【００４０】
１０、３０  タブレットホルダー
１２  保持板
１４、３４  収納通路
１４ａ、３４ａ  第一収納通路
１４ｂ、３４ｂ  第二収納通路
１６  タブレット
１８  挟み込み用具
２０、４０  取出口
２２、４２  挿入口
２４、４８  開放部
【図１】
2007004010.tif 000003
【図２】
2007004010.tif 000004
【図３】
2007004010.tif 000005